(57)【要約】【課題】  画像生成パネルのユニットセルが分離できるほどの高解像度を実現し、広画角を実現して短い投影距離を有するリアプロジェクションレンズを提供すること。【解決手段】  本発明による画像生成パネルで生成された画像を拡大してスクリーンの背面に投影するリアプロジェクション光学系は、スクリーン側に配置され、負屈折力（Ｐｏｗｅｒ）を有する第１乃至第３のレンズと正屈折力を有する第４のレンズ及び第５のレンズとからなる前群レンズと、パネル側に配置され、第１の接合レンズを構成する正屈折力を有する第６のレンズと負屈折力を有する第７のレンズと、第２の接合レンズを構成する負屈折力を有する第８のレンズと正屈折力を有する第９のレンズと、負屈折力を有する第１０のレンズとからなる後群レンズと、前群レンズと後群レンズとの間に配置され光量を調節する絞りとを含む。【選択図】      図２
2005242351.tif 000002
【特許請求の範囲】
【請求項１】
画像生成パネルで生成された画像を拡大してスクリーンの背面に投影するリアプロジェクション光学系において、
前記スクリーン側に配置され、負屈折力を有する第１乃至第３のレンズと正屈折力を有する第４のレンズ及び第５のレンズとからなる前群レンズと；
前記画像生成パネル側に配置され、第１の接合レンズを構成する正屈折力を有する第６のレンズと負屈折力を有する第７のレンズと、第２の接合レンズを構成する負屈折力を有する第８のレンズと正屈折力を有する第９のレンズと、負屈折力を有する第１０のレンズとからなる後群レンズと；
前記前群レンズと前記後群レンズとの間に配置され光量を調節する絞りとを含むことを特徴とするリアプロジェクション光学系。
【請求項２】
前記第１０のレンズは、正曲率値を有する第１の面と負曲率値を有する第２の面とからなり、次の式を満たすことを特徴とする請求項１に記載のリアプロジェクション光学系。
【数１】
2005242351.tif 000013
（前記式中、Ｐｉ、ｎｉ、ｖｉは、それぞれｉ番目レンズの屈折力、屈折率、分散を表し、ＯＢＪは、前記スクリーンから前記第１のレンズまでの距離、ＢＦＬは、第１０のレンズから前記パネルまでの距離、ｍは、レンズ全体の倍率を表す。）
【請求項３】
前記ＯＢＪ、ＢＦＬ及びｍは、次のように設定されることを特徴とする請求項２に記載のリアプロジェクション光学系。
ＯＢＪ＝５９３、ＢＦＬ＝２６．５、ｍ＝０．０１５４
【請求項４】
前記絞りは、前記第６のレンズの第１の面の中心から所定の距離離間して配置され、次の式を満たすことを特徴とする請求項１に記載のリアプロジェクション光学系。
【数２】
2005242351.tif 000014
（前記式中、ｄ１１は、前記絞りと前記第６のレンズの第１の面との間の所定の距離を表し、ｎｉは、ｉ番目レンズの屈折率を表す。）
【請求項５】
ｄ１１及び該当するｎｉ値は、次のように設定されることを特徴とする請求項４に記載のリアプロジェクション光学系。
ｄ１１＝４．１９、ｎ６＝１．４８７４９、ｎ７＝１．７５５２０、
ｎ８＝１．８４６６６、ｎ９＝１．４８７４９
【請求項６】
前記第４のレンズの第１及び第２の面は負曲率を有し、前記第５のレンズの第１及び第２の面は、それぞれ正曲率及び負曲率を有し、前記第１の接合レンズの第１の面、接合面及び第２の面は、それぞれ正曲率、負曲率及び負曲率を有し、前記第２の接合レンズの第１の面、接合面及び第２の面は、それぞれ正曲率、正曲率及び負曲率を有し、次の式を満たすことを特徴とする請求項１に記載のリアプロジェクション光学系。
【数３】
2005242351.tif 000015
（前記式中、ｐｉは、ｉ番目レンズの屈折力を表し、ｐｂｉは、ｉ番目接合レンズの屈折力を表す。）
【請求項７】
前記第６のレンズと前記第７のレンズは、第１の接合レンズを形成すべくＵＶボンディングにより接合され、前記第８のレンズと前記第９のレンズは、第２の接合レンズを形成すべくＵＶボンディングにより接合されることを特徴とする請求項１に記載のリアプロジェクション光学系。
【請求項８】
前記第１のレンズは、非球面レンズであることを特徴とする請求項１に記載のリアプロジェクション光学系。
【請求項９】
画像生成パネルと、画像を拡張しスクリーンに画像をディスクプレイする投影光学系を備え、
前記投影光学系は、第１乃至第５のレンズを含み前記スクリーンの近傍に位置する前群レンズと、相互接合された第６のレンズと第７のレンズ、相互接合された第８のレンズと第９のレンズ、第１０のレンズを含み前記画像生成パネルの近傍に位置する後群レンズを備えることを特徴とするディスプレイ装置。
【請求項１０】
前記投影光学系は、前記前群レンズと前記後群レンズとの間に位置する絞りを更に含むことを特徴とする請求項９に記載のディスプレイ装置。
【請求項１１】
前記第１、第２、第３、第７、第８及び第１０のレンズは発散レンズであり、前記第４、第５、第６及び第９のレンズは収束レンズであることを特徴とする請求項９に記載のディスプレイ装置。
【請求項１２】
前記第１のレンズは、非球面レンズであることを特徴とする請求項９に記載のディスプレイ装置。
【請求項１３】
前記第６と第７のレンズがＵＶボンディングにより接合され、前記第８と第９のレンズがＵＶボンディングにより接合されることを特徴とする請求項９に記載のディスプレイ装置。
【請求項１４】
第６、第７、第８及び第９のレンズは、ＦＤ系であり低分散材質で作製されることを特徴とする請求項１３に記載のディスプレイ装置。
【請求項１５】
前記投影光学系は、ミラーと、前記前群レンズの下方に位置する前記後群レンズと、前記後群レンズを透過して前記ミラーから前記前群レンズに反射される画像生成装置の画像とを更に含むことを特徴とする請求項９に記載のディスプレイ装置。
【請求項１６】
スクリーン上に画像生成パネルの画像を拡張し投影する多数のレンズを備え、前記スクリーン近傍の焦点経路に沿って位置する第１のレンズ群と；
第１の接合レンズ組と第２の接合レンズ組を含み、前記画像生成パネル近傍の焦点経路に沿って位置する第２のレンズ群とを含み、
画像を生成するための画像生成パネル及び画像をディスプレイするスクリーンを備えるディスプレイ装置に用いられ得ることを特徴とする投影光学系。
【請求項１７】
前記第１の接合レンズ組と前記第２の接合レンズ組は、それぞれＵＶボンディングにより相互接合された２つのレンズを備えることを特徴とする請求項１６に記載の投影光学系。
【請求項１８】
前記第１及び第２の接合レンズ組のそれぞれにおける前記２つのレンズの一方は正屈折力を有し、他方は負屈折力を有することを特徴とする請求項１７に記載の投影光学系。
【請求項１９】
前記第１及び第２の接合レンズ組は、前記多数のレンズを透過して投影される画像の収差を低減させることを特徴とする請求項１６に記載の投影光学系。
【請求項２０】
前記第１及び第２の接合レンズ組は、前記多数のレンズを透過して投影される前記画像の色収差を補償することを特徴とする請求項１９に記載の投影光学系。
【請求項２１】
前記第１及び第２の接合レンズ組は、前記焦点経路の後面末端の近傍に位置することを特徴とする請求項１６に記載の投影光学系。
【請求項２２】
画像を生成するための画像生成パネルと；
前記画像をディスプレイするためのスクリーンと；
前記画像生成パネルの近傍に位置し、第１の接合レンズ組と第２の接合レンズ組を含む多数の後群レンズと；
前記スクリーンの近傍に位置する多数の前群レンズとを含み、
前記画像は、前記画像生成パネルから前記多数の後群レンズと前記多数の前群レンズを経て前記スクリーンに続く焦点経路に沿って投影され、前記前群レンズに対し前記多数の後群レンズの位置が調整可能であることを特徴とするディスプレイ装置。
【請求項２３】
前記多数の後群レンズの位置は、ディスプレイ装置の奥行きによって決められることを特徴とする請求項２２に記載のディスプレイ装置。
【請求項２４】
前記多数の後群レンズは、前記ディスプレイ装置の奥行きを低減するために多数の前群レンズの下方に位置することを特徴とする請求項２３に記載のディスプレイ装置。
【請求項２５】
前記多数の後群レンズと前記多数の前群レンズとの間の前記焦点経路に位置するミラーを更に含み、
前記多数の後群レンズを透過して前記前群レンズに投射された画像を反射するための角度をなして位置することを特徴とする請求項２４に記載のディスプレイ装置。
【請求項２６】
前記多数の後群レンズの位置は、前記スクリーンの広さによって決められることを特徴とする請求項２２に記載のディスプレイ装置。
【請求項２７】
前記多数の後群レンズの位置は、前記多数の後群レンズ及び前記多数の前群レンズを透過して投影される画像の収差によって決められることを特徴とする請求項２２に記載のディスプレイ装置。
【請求項２８】
前記多数の後群レンズの位置は、前記画像の解像度によって決められることを特徴とする請求項２２に記載のディスプレイ装置。
【請求項２９】
前記多数の後群レンズと前記多数の前群レンズとの間の前記焦点経路に位置し、光量を調節するために前記多数の後群レンズから所定の距離に位置する絞りを更に含むことを特徴とする請求項２２に記載のディスプレイ装置。
【請求項３０】
光の歪みと収差を低減させる負屈折力を有する多数のレンズと光の角度を低減させる正屈折力を有する多数のレンズを備える前群レンズと；
前記前群レンズにより除去できていない光の収差を低減させる第１及び第２の接合レンズと、光の角度と最終的な性能矯正を制御するための反射レンズを備える後群レンズとを含むスクリーンに光を投影する投影光学系。
【請求項３１】
前記負屈折力を有する多数のレンズは、前記負屈折力を有する多数のレンズ同士の相互作用により光の収差を低減させることを特徴とする請求項３０に記載の投影光学系。
【請求項３２】
前記多数の負屈折力を有するレンズの少なくとも１つのレンズは、非球面レンズであることを特徴とする請求項３０に記載の投影光学系。
【請求項３３】
前記第１及び第２の接合レンズは、光の色収差を補償することを特徴とする請求項３０に記載の投影光学系。
【請求項３４】
前記第１及び第２の接合レンズは、それぞれＵＶボンディングにより相互接合した２つのレンズを備えることを特徴とする請求項３０に記載の投影光学系。
【請求項３５】
前記第１及び第２の接合レンズのそれぞれが有する前記２つのレンズの一方は正屈折力を有し、他方は負屈折力を有することを特徴とする請求項３４に記載の投影光学系。
【請求項３６】
前記反射レンズは、負屈折力を有することを特徴とする請求項３０に記載の投影光学系。
【請求項３７】
前記前群レンズと前記後群レンズとの間に位置し、光量を制御するための前記後群レンズから所定の距離に位置する絞りを更に含むことを特徴とする請求項３０に記載の投影光学系。
【発明の詳細な説明】
【技術分野】
【０００１】
本発明は、プロジェクション型画像表示装置に適用される投影光学系に係り、より詳しくは、画像生成パネルのユニットセルが分離できるほどの高解像度を実現し、広画角を実現して短い投影距離を有するリアプロジェクションレンズに関する。
【背景技術】
【０００２】
近年、画像表示装置の大型化及び高画質化の要求に応じて小型の画像投影光学系を用いて大型スクリーンに拡大・投影する画像投影装置が急速に拡散しつつある。特に、スクリーンの背面から画像信号を投影する方式によるリアプロジェクション装置は、プロジェクションＴＶの形態にて普遍化されている。
【０００３】
一般のリアプロジェクション装置は、光源、光源から出射した光を用いて画像を生成する表示素子であるＬＣＤまたはＤＭＤ（Ｄｉｇｉｔａｌ  Ｍｉｃｒｏｍｉｒｒｏｒ  Ｄｅｖｉｃｅ）パネル、パネルで生成された画像を所定の倍率にて拡大し投影する投影光学系及びスクリーン等から構成される。
【０００４】
しかし、投影光学系が結像すべきスクリーンが大型化するにつれて高解像度が要求され、装置の薄型化のために広画角が要求されている。以下、このような要求に応じた従来技術による投影光学系について説明する。
【０００５】
図１は、従来の投影光学系の構成を示している。同図を参照すれば、投影光学系は、スクリーン（図示せず）に近いレンズの順からの第１のレンズ乃至第５のレンズ１、２、３、４、５からなる前群レンズと、第６のレンズ乃至第１０のレンズ６、７、８、９、１０からなる後群レンズと、前群レンズと後群レンズとの間に配置される絞り２０とを含む。負屈折力を有する後群レンズは、プリズム３０を経て入射しＤＭＤパネル４０で反射されて透過する光の各種の収差を一次的に低減する役割を果たす。そして、第４及び第５のレンズ４、５の強い正屈折力作用により収差は再度補正される。一方、第１のレンズ１により歪曲収差の大半が補正され、第２及び第３のレンズ２、３によりコマ収差、非点収差及び球面収差等の二次補正が行われる。ここで、前群レンズは、画角を大きくするために負屈折力を有するように構成される。
【０００６】
しかし、後群レンズによりゴーストが発生し、スクリーンに不要な画像が表示されるため、後群レンズの曲率を位置によって変更しなければならないという改善点を抱えており、絞り２０が第６のレンズ６に接して配置されているため光量の制御のための新しい絞りの挿入が困難である。また、従来の投影光学系では、充分に大きな画角の提供ができないため、要求に応じられるより向上した投影光学系が必要である。
【発明の開示】
【発明が解決しようとする課題】
【０００７】
従って、本発明は、前記のような従来の問題点を解決するためになされたものであって、少ない枚数のレンズを使用して広画角と歪曲の小さい高解像度の投影光学系を提供することを目的とする。
【課題を解決するための手段】
【０００８】
本発明による画像生成パネルで生成された画像を拡大してスクリーンの背面に投影するリアプロジェクション光学系は、前記スクリーン側に配置され、負屈折力（Ｐｏｗｅｒ）を有する第１乃至第３のレンズと正屈折力を有する第４のレンズ及び第５のレンズとからなる前群レンズと、前記パネル側に配置され、第１の接合レンズを構成する正屈折力を有する第６のレンズと負屈折力を有する第７のレンズと、第２の接合レンズを構成する負屈折力を有する第８のレンズと正屈折力を有する第９のレンズ、及び負屈折力を有する第１０のレンズとからなる後群レンズと、前記前群レンズと前記後群レンズとの間に配置され光量を調節する絞りとを含む。
【０００９】
前記第１０のレンズは、正曲率値を有する第１の面と負曲率値を有する第２の面とからなり、次の式を満たす。
【００１０】
【数４】
2005242351.tif 000003
（前記式中、Ｐｉ、ｎｉ、ｖｉは、それぞれｉ番目レンズの屈折力、屈折率、分散を表し、ＯＢＪ（物体距離）は、前記スクリーンから前記第１のレンズまでの距離、ＢＦＬ（後部焦点距離）は、第１０のレンズから前記パネルまでの距離、ｍは、レンズ全体の倍率を表す。）
前記ＯＢＪ、ＢＦＬ及びｍは、それぞれＯＢＪ＝５９３、ＢＦＬ＝２６．５、ｍ＝０．０１５４のように設定することが好ましい。
【００１１】
一方、前記絞りは、前記第６のレンズの第１の面の中心から所定の距離離間して配置され、次の式を満たす。
【００１２】
【数５】
2005242351.tif 000004
（前記式中、ｄ１１は、前記絞りと前記第６のレンズの第１の面との間の所定の距離を表し、ｎｉは、ｉ番目レンズの屈折率を表す。）
ｄ１１及び該当するｎｉ値は、それぞれｄ１１＝４．１９、ｎ６＝１．４８７４９、ｎ７＝１．７５５２０、ｎ８＝１．８４６６６、ｎ９＝１．４８７４９のように設定されることが好ましい。
【００１３】
また、前記第４のレンズの第１及び第２の面は負曲率を有し、前記第５のレンズの第１及び第２の面は、それぞれ正曲率及び負曲率を有し、前記第１の接合レンズの第１の面、接合面及び第２の面は、それぞれ正曲率、負曲率及び負曲率を有し、前記第２の接合レンズの第１の面、接合面及び第２の面は、それぞれ正曲率、正曲率及び負曲率を有し、次の式を満たす。
【００１４】
【数６】
2005242351.tif 000005
（前記式中、ｐｉは、ｉ番目レンズの屈折力を表し、ｐｂｉは、ｉ番目接合レンズの屈折力を表す。）
【発明の効果】
【００１５】
本発明のリアプロジェクション光学系によれば、従来と同じ枚数のレンズを用いて従来（８４°）より大きい画角（９１°）を有し、且つ小さい歪曲を示すといった優れた性能が得られ、高解像度を満たすのみならず、画角が大きくなった分セットの奥行きを低減することができる。
【発明を実施するための最良の形態】
【００１６】
次に図面を参照して本発明を詳細に説明する。
【００１７】
（実施例）
【００１８】
図２は、本発明の一実施例によるリアプロジェクション光学系の構成を示す。ここでは、ＤＭＤパネルを採用した画像投影装置（例えば、プロジェクションＴＶ等）に適用可能なリアプロジェクション光学系について、一実施例を挙げて説明する。図２では、説明の便宜のために画像投影装置の主要構成要素を一緒に示している。同図を参照すれば、画像投影装置は、スクリーン１００と、リアプロジェクション光学系５０と、ランプ７５と、プリズム８０と、画像を生成するＤＭＤパネル９０とを含む。本実施例によるリアプロジェクション光学系５０は、有効面積が０．７９”（２０．１ｍｍ）のＤＭＤパネル９０で生成された画像を５０”を基準に４６”及び５６”のスクリーンに投影できるように構成される。
【００１９】
リアプロジェクション光学系５０は、スクリーン１００の近傍に配置される５枚のレンズ５１、５２、５３、５４、５５からなる前群レンズ５０ａと、ＤＭＤパネル９０の近傍に配置される５枚のレンズ５６、５７、５８、５９、６０からなる後群レンズ５０ｂと、前群レンズ５０ａと後群レンズ５０ｂとの間に配置され光量を調節する絞り７０とから構成される。従って、本リアプロジェクション光学系５０は、計１０枚のレンズ５１、５２、５３、５４、５５、５６、５７、５８、５９、６０を含む。ここでは、スクリーン１００からｉ番目レンズを言及するために、図２に示すようにそれぞれのレンズＬｉ、これと同様にレンズの表面に割り当てられるレンズの両面Ｓｉ及びレンズの中心厚さまたはレンズ間の中心距離ｄｉについて、スクリーン１００を基準に順次に番号を付することにする。例えば、１番目レンズをＬ１（５１）、２番目レンズをＬ２（５２）、１番目レンズ５１の第１の面をＳ１、１番目レンズ５１の第２の面をＳ２、１番目レンズ５１の中心厚さをｄ１、１番目レンズ５１と２番目レンズ５２との中心距離をｄ２と定義する。
【００２０】
前群レンズ５０ａは、レンズＬ１、Ｌ２、Ｌ３、Ｌ４、Ｌ５（５１、５２、５３、５４、５５）の５枚のレンズからなるが、各レンズの特性は、次の通りである。レンズＬ１（５１）とレンズＬ２（５２）は、第１の面Ｓ１、Ｓ３及び第２の面Ｓ２、Ｓ４がいずれも正曲率で構成されて負屈折力（Ｐｏｗｅｒ）を有し、レンズＬ３（５３）は、第１の面Ｓ５が負曲率で第２の面Ｓ６が正曲率で構成されて負屈折力（Ｐｏｗｅｒ）を有する。そして、レンズＬ４（５４）は、第１の面Ｓ７及び第２の面Ｓ８が負曲率で構成されて正屈折力（Ｐｏｗｅｒ）を有し、レンズＬ５（５５）は、第１の面Ｓ９が正曲率で第２の面Ｓ１０が負曲率で構成されて正屈折力（Ｐｏｗｅｒ）を有する。
【００２１】
後群レンズ５０ｂは、レンズＬ６、Ｌ７、Ｌ８、Ｌ９、Ｌ１０（５６、５７、５８、５９、６０）の５枚のレンズからなるが、レンズＬ６（５６）とレンズＬ７（５７）とは、ＵＶ（紫外線）ボンディング等により接合されて第１の接合レンズを構成し、レンズＬ８（５８）とレンズＬ９（５９）とが接合されて第２の接合レンズを構成する。
【００２２】
第１の接合レンズを構成するレンズＬ６（５６）は、第１の面Ｓ１２が正曲率で、第２の面Ｓ１３が負曲率で構成されて正屈折力を有し、レンズＬ７（５７）は、第１の面Ｓ１３が負曲率で、第２の面Ｓ１４が負曲率で構成されて負屈折力を有する。一方、第２の接合レンズを構成するレンズＬ８（５８）は、第１の面Ｓ１５が正曲率で、第２の面Ｓ１６が正曲率で構成されて負屈折力を有し、レンズＬ９（５９）は、第１の面Ｓ１６が正曲率で、第２の面Ｓ１７が負曲率で構成されて正屈折力を有する。そして、レンズＬ１０（６０）は、第１の面Ｓ１８が正曲率で、第２の面Ｓ１９が負曲率で構成されて負屈折力を有する。
【００２３】
ＤＭＤパネル９０の画像が後群レンズ５０ｂと前群レンズ５０ａを透過してからスクリーン１００に投影され鮮明な像を結像するためには、何より歪曲を低減させることが重要な問題になる。かかる歪曲を低減させるためにプラスチック材質の非球面レンズＬ１（５１）が使用される。そして、広画角を得るためにスクリーン１００の近傍に配置されるレンズＬ１乃至レンズＬ３（５１、５２、５３）は負屈折力を有するように構成し、光線の角度を減らすためにレンズＬ４（５４）及びレンズＬ５（５５）は正屈折力を有するように構成する。また、レンズＬ１乃至レンズＬ３（５１、５２、５３）は、負屈折力を有するため、レンズＬ１乃至レンズＬ３（５１、５２、５３）の間における部分的な相殺により収差を低減させる。
【００２４】
一方、後群レンズ５０ｂの第１及び第２の接合レンズは、前群レンズ５０ａで除去できていない収差を低減させる役割を果たし、特に、第１及び第２の接合レンズは、色収差補正を行うようになる。この第１及び第２の接合レンズは、安価のＦＤ系と低分散材質で作製すればよい。そして、レンズＬ１０（６０）は、最終的な性能矯正とＤＭＤパネル９０に入射する光線の角度を調整するように屈折力を設定する。以上のようにレンズ５１、５２、５３、５４、５５、５６、５７、５８、５９、６０を構成することにより、スクリーン１００上に歪曲が小さく、鮮明な焦点を有する画像が投影できるようになる。
【００２５】
図２に示す実施例によるリアプロジェクション光学系５０は、次の式（１）乃至（３）を満たす。
【００２６】
【数７】
2005242351.tif 000006
前記式中、Ｐｉ、ｎｉ、ｖｉは、それぞれｉ番目レンズの屈折力、屈折率、分散を表し、ＯＢＪは、スクリーン１００からレンズＬ１（５１）までの距離、ＢＦＬは、レンズＬ１０（６０）からＤＭＤパネル９０までの距離、ｍは、レンズ５１、５２、５３、５４、５５、５６、５７、５８、５９、６０全体の倍率をそれぞれ表す。そして、屈折力ｐｉは、焦点距離ｆｉの逆数にて定義される。
【００２７】
【数８】
2005242351.tif 000007
前記式中、ｄ１１は、絞り７０とレンズＬ６（５６）との間の中心距離を表し、ｎｉは、レンズＬｉの屈折率を表す。
【００２８】
【数９】
2005242351.tif 000008
前記式中、ｐｉは、レンズＬｉの屈折力を表し、ｐｂｉは、ｉ番目接合レンズの屈折力を表す。
【００２９】
次の表１は、本発明の実施例によるリアプロジェクション光学系５０のレンズ５１、５２、５３、５４、５５、５６、５７、５８、５９、６０の実施例値を示す。
【００３０】
【表１】
2005242351.tif 000009
レンズＬ１（５１）の両面Ｓ１及びＳ２の非球面方程式は、次の式（４）のように示される。
【００３１】
【数１０】
2005242351.tif 000010
前記式中、Ｙは光軸からの距離を表し、Ｃは曲率を、Ｒは半径をそれぞれ表し、本実施例においてレンズＬ１（５１）のＳ１及びＳ２に対する円錐定数及び非球面係数ａ、ｂ、ｃ、ｄは、次の表２の通りである。
【００３２】
【表２】
2005242351.tif 000011
本実施例において、倍率（ｍ、ｍａｇｎｉｆｉｃａｔｉｏｎ）、有効焦点距離（ＥＦＬ）、Ｆナンバー（Ｆ＃）、スクリーン１００からレンズＬ１（５１）までの物体距離（ＯＢＪ）、視野（ＦＯＶ）及びＲＧＢの光源は、次の表３の通りである。
【００３３】
【表３】
2005242351.tif 000012
図３は、前述した実施例値で構成されたリアプロジェクション光学系５０の球面収差ａ、非点収差ｂ及び歪曲ｃの特性を示している。そして、図４は、本発明の一般の概念による前群レンズ５０ａと後群レンズ５０ｂとの間に反射ミラー４００を挿入することにより投影装置の奥行きを低減することができることを示している。
【産業上の利用可能性】
【００３４】
本発明は、画像生成パネルのユニットセルが分離できるほどの高解像度を実現し、広画角を実現して短い投影距離を有するリアプロジェクションレンズに用いられ得る。
【図面の簡単な説明】
【００３５】
【図１】従来のリアプロジェクション光学系の構成を示す図である。
【図２】本発明の一実施例によるリアプロジェクション光学系の構成を示す図である。
【図３】図２に示すリアプロジェクション光学系の収差特性を示す図である。
【図４】図２に示すリアプロジェクション光学系の実適用例を示す図である。
【符号の説明】
【００３６】
４０    スクリーン
５０    リアプロジェクション光学系
５０ａ  前群レンズ
５０ｂ  後群レンズ
７０    絞り
８０    プリズム
９０    ＤＭＤパネル
【図１】
2005242351.tif 000016
【図２】
2005242351.tif 000017
【図３】
2005242351.tif 000018
【図４】
2005242351.tif 000019